(57)【要約】      （修正有）【課題】パスワードロック及びキーロック機構を合せ持つ二重ロックを提供する。【解決手段】二重ロックは、ロックシェル１上に段階孔１３を設け、段階孔は、第１、第２段部１３０，１３１を有する。パスワードロック機構２がロックシェル内に軸回転可能に設けられ、丸棒、丸棒上に被せ設けられる制御部材２１及びパスワードリングを含み、丸棒の一端は、係止部２００を設け、制御部材上にダイヤルピン２１０を設け、ダイヤルピンは、段階孔上に凸設される。キーロック機構３は、ロック３０芯及びロック芯カバー３１を含み、ロック芯カバーは、係止部と組み合わさる閉鎖溝３１１を凹設する。そのうち、パスワードロック機構がロック解除状態にある時、係止部は、閉鎖溝から離脱でき、且つダイヤルピンを段階孔の第１段部から第２段部にダイヤルさせ、丸棒に各パスワードリングを移動させ、パスワード設定可能な状態にする。【選択図】図１
0003170520.tif 000002
【実用新案登録請求の範囲】
【請求項１】
上部に複数の窓口と、段階孔と、を設け、レバーを軸回転可能に設け、且つ該段階孔が第１段部及び第２段部を有するロックシェルと、
該ロックシェル内に軸回転可能に設けられ、丸棒と、制御部材と、各該窓口に対応する複数のパスワードリングと、を含み、該丸棒の一端は、係止部を設け、該制御部材及び該パスワードリングが該丸棒上に被せ設けられ、該制御部材上にダイヤルピンを設け、前記ダイヤルピンが該段階孔上に凸設されるパスワードロック機構と、
ロック芯と、該ロック芯上に被せ固定されるロック芯カバーと、を含み、該ロック芯カバーは、該レバーと組み合わさり、且つ該ロック芯カバー周縁上に環溝を設け、前記環溝が該係止部と対応し、前記環溝内に閉鎖溝を凹み、前記閉鎖溝は、該係止部と組み合わさるキーロック機構と、
を含み、そのうち、該パスワード機構がロック解除状態にある時、該係止部は、該閉鎖溝から離脱でき、且つ前記ダイヤルピンを該段階孔の第１段部からその第２段部までダイヤルさせ、該丸棒に各該パスワードリングを移動させ、パスワードを設定可能な状態にする二重ロック構造改良。
【請求項２】
前記ロックシェルは、シェルソケット及びパネルを含み、該窓口、該段階孔及び該レバーは、前記パネル上に設けられる請求項１に記載の二重ロック構造改良。
【請求項３】
前記シェルソケット内には、固定構造を設け、該パスワードロック機構は、該固定構造上に軸回転可能に設けられる請求項２に記載の二重ロック構造改良。
【請求項４】
前記レバーは、握り柄を軸回転可能に設け、前記握り柄を介し該レバーに対し回転を行う請求項１に記載の二重ロック構造改良。
【請求項５】
前記段階孔は、「Ｌ」字型を呈し、且つ該第１段部は、前記「Ｌ」字型の一端に位置し、該第２段部は、前記「Ｌ」字型の他端に位置する請求項１に記載の二重ロック構造改良。
【請求項６】
前記パスワードロック機構の各該パスワードリングは、内軸カバーと、外環カバーと、弾性部材と、を含み、該外環カバーは、該内軸カバー上に軸回転可能に被せられ、該弾性部材が隣り合う前記パスワードリングの内軸カバー及び外環カバーの間に係止する請求項１に記載の二重ロック構造改良。
【請求項７】
前記外環カバーは、複数の表示面に区分され、且つ各該表示面上には選択コードを表示する請求項６に記載の二重ロック構造改良。
【請求項８】
前記内軸カバー上に平面部及び軸向きに延伸する少なくとも１つの定位キーを有し、該外環カバー内縁一側には、複数の凹溝を設け、該凹溝の数量は、該表示面の数量と一致し、且つ該内軸カバーの定位キーは、該外環カバーの各該凹溝と係合することができる請求項７に記載の二重ロック構造改良。
【請求項９】
前記内軸カバーは、該平面部及び該内軸カバー一側上に形成される凸縁を更に有し、且つ前記定位キーは、該凸縁内側から前記軸向きに延伸する請求項８に記載の二重ロック構造改良。
【請求項１０】
前記外環カバー一側上には、何れも複数の定位凹部を設け、各該パスワードリングは、何れも定位部材に対応し、前記定位部材は、延伸する少なくとも１つの弾性アームを有し、且つ該弾性アーム末端は、何れか１つの前記定位凹部上に係止する請求項６乃至請求項９の何れか１項に記載の二重ロック構造改良。
【考案の詳細な説明】
【技術分野】
【０００１】
本考案は、ロック器具に関し、特に、パスワードロック及びキーロック機構を兼ね備え、共同で制御できる二重ロック構造改良に関する。
【背景技術】
【０００２】
個人の物品が他人に盗まれることを防止する為、ロック器具の現在の日常生活における応用は相当広がっている。従来は、対応するキーを介し、ロック解除の効用を達成する以外に、更に、該キーの紛失によりロック解除できなくなる困難及び不便等が生じることを防止する為、パスワードロックの誕生がある。しかしながら、現在、更に2種の異なるロック解除メカニズムを統合し、対応するキーを介するか、既知のパスワードでロック解除することができる二重ロック器具に発展している。
【０００３】
しかしながら、現在の二重ロックは、パスワード機構及びキーロック機構の連動を介するので、往々にしてパスワードでロックを解除する時、使用者がパスワードロック機能の各パスワードリングに不注意に接触又は震動させることにより、パスワードの変更が生じ易い。この時、使用者が留意せずにロックを行えば、変更後のパスワードを知る者がなく、使用者の次回のロック解除時の不便及び困難をもたらす。
【０００４】
これに鑑みて、本考案者は、上記欠陥を解決する為、研究に専念し、学理の運用を組み合わせ、ようやく、合理的に上記欠陥を改善する本考案を提示する。
【先行技術文献】
【特許文献】
【０００５】
【特許文献１】特開２０１０−１３６４５１号公報
【考案の概要】
【考案が解決しようとする課題】
【０００６】
本考案の目的は、使用者がパスワードロック機構の各パスワードリングに不注意に接触又は震動させることによりパスワードの変更が生じることを防止することができる二重ロック構造改良を提供することにある。
【課題を解決するための手段】
【０００７】
上記の目的を達成する為、本考案が提供する二重ロック構造改良は、ロックシェルと、パスワード機構と、キーロック機構と、を含む。ロックシェル上には、複数の窓口、段階孔を設け、レバーを軸回転可能に設け、且つ段階孔が第1段部及び第２段部を有する。パスワードロック機構は、ロックシェル内に軸回転可能に設けられ、丸棒と、制御部材と、各窓口にそれぞれ対応する複数のパスワードリングを含み、且つ丸棒の一端に係止部を設け、制御部材及び各パスワードリングは、丸棒上に被せ設けられ、制御部材上にダイヤルピンを設け、前記ダイヤルピンは、段階孔上に凸説される。キーロック機構は、ロック芯及びロック芯上に被さり固定するロック芯カバーを含み、ロック芯カバーは、レバーと組み合わさり、且つロック芯カバー周縁上に環溝を設け、前記環溝は、係止部と対応し、前記環溝内に閉鎖溝を凹陥し、前記閉鎖溝は、係止部と組み合わさる。そのうち、パスワードロック機構がロック解除状態の時、係止部は、閉鎖溝から脱離でき、且つ前記ダイヤルピンを段階孔の第1段部から第２段部にダイヤルすることができるようにし、丸棒に各パスワードリングを移動させパスワードを設定可能な状態にする。
本考案は下記の特徴を有する。
（１）上部に複数の窓口と、段階孔と、を設け、レバーを軸回転可能に設け、且つ該段階孔が第１段部及び第２段部を有するロックシェルと、
該ロックシェル内に軸回転可能に設けられ、丸棒と、制御部材と、各該窓口に対応する複数のパスワードリングと、を含み、該丸棒の一端は、係止部を設け、該制御部材及び該パスワードリングが該丸棒上に被せ設けられ、該制御部材上にダイヤルピンを設け、前記ダイヤルピンが該段階孔上に凸設されるパスワードロック機構と、
ロック芯と、該ロック芯上に被せ固定されるロック芯カバーと、を含み、該ロック芯カバーは、該レバーと組み合わさり、且つ該ロック芯カバー周縁上に環溝を設け、前記環溝が該係止部と対応し、前記環溝内に閉鎖溝を凹み、前記閉鎖溝は、該係止部と組み合わさるキーロック機構と、
を含み、そのうち、該パスワード機構がロック解除状態にある時、該係止部は、該閉鎖溝から離脱でき、且つ前記ダイヤルピンを該段階孔の第１段部からその第２段部までダイヤルさせ、該丸棒に各該パスワードリングを移動させ、パスワードを設定可能な状態にする二重ロック構造改良。
（２）前記ロックシェルは、シェルソケット及びパネルを含み、該窓口、該段階孔及び該レバーは、前記パネル上に設けられる（１）に記載の二重ロック構造改良。
（３）前記シェルソケット内には、固定構造を設け、該パスワードロック機構は、該固定構造上に軸回転可能に設けられる（２）に記載の二重ロック構造改良。
（４）前記レバーは、握り柄を軸回転可能に設け、前記握り柄を介し該レバーに対し回転を行う（１）に記載の二重ロック構造改良。
（５）前記段階孔は、「Ｌ」字型を呈し、且つ該第１段部は、前記「Ｌ」字型の一端に位置し、該第２段部は、前記「Ｌ」字型の他端に位置する（１）に記載の二重ロック構造改良。
（６）前記パスワードロック機構の各該パスワードリングは、内軸カバーと、外環カバーと、弾性部材と、を含み、該外環カバーは、該内軸カバー上に軸回転可能に被せられ、該弾性部材が隣り合う前記パスワードリングの内軸カバー及び外環カバーの間に係止する（１）に記載の二重ロック構造改良。
（７）前記外環カバーは、複数の表示面に区分され、且つ各該表示面上には選択コードを表示する（６）に記載の二重ロック構造改良。
（８）前記内軸カバー上に平面部及び軸向きに延伸する少なくとも１つの定位キーを有し、該外環カバー内縁一側には、複数の凹溝を設け、該凹溝の数量は、該表示面の数量と一致し、且つ該内軸カバーの定位キーは、該外環カバーの各該凹溝と係合することができる（７）に記載の二重ロック構造改良。
（９）前記内軸カバーは、該平面部及び該内軸カバー一側上に形成される凸縁を更に有し、且つ前記定位キーは、該凸縁内側から前記軸向きに延伸する（８）に記載の二重ロック構造改良。
（１０）前記外環カバー一側上には、何れも複数の定位凹部を設け、各該パスワードリングは、何れも定位部材に対応し、前記定位部材は、延伸する少なくとも１つの弾性アームを有し、且つ該弾性アーム末端は、何れか１つの前記定位凹部上に係止する（６）乃至（９）の何れか１項に記載の二重ロック構造改良。
【図面の簡単な説明】
【０００８】
【図１】本考案の立体分解図である。
【図２】本考案の内部構造の組み合わせ説明図である。
【図３】本考案のパスワードロック機構の立体分解及び局部拡大説明図である。
【図４】本考案の内部構造の断面説明図である。
【図５】本考案のパスワードロック機構及びキーロック機構の立体説明図である。
【図６】本考案のパスワード再設定の動作説明図１である。
【図７】本考案のパスワード再設定の動作説明図２である。
【図８】本考案のパスワード再設定の動作説明図３である。
【図９】本考案のパスワード再設定の動作説明図４である。
【図１０】本考案のパスワード再設定の動作説明図５である。
【考案を実施するための形態】
【０００９】
本考案の特徴及び技術内容を分かり易くする為、以下の本考案に関する詳細な説明及び図面を参照するが、図面は、参考及び説明用に提供するだけであり、本考案を制限することに用いるのではない。
【００１０】
図１及び図２を参照し、それは、それぞれ本考案の立体分解図及び本考案の内部構造の組み合わせ説明図である。本考案が提供する二重ロック構造改良は、ロックシェル１と、パスワードロック機構２と、キーロック機構３と、を含む。
【００１１】
該ロックシェル１は、シェルソケット１０と、パネル１１と、を含み、前記シェルソケット１０内は、中空を呈し、上記パスワードロック機構２及びキーロック機構３を収容させ、更に固定構造１００を設け、パスワードロック機構２をその上に軸回転可能に設けさせることができる。前記パネル１１上には、複数の窓口１１０を設け、レバー１２を軸回転可能に設け、各窓口１１０は、横向きに一列に配列され、レバー１２表面上には、貫通した挿入孔１２０を有し、且つ該レバー１２上に握り柄１２１を軸回転可能に設け、前記握り柄１２１を介し、該レバー１２に対し回転を行うことができる。また、該パネル１１は、各窓口１１０及びレバー１２の間に更に、段階孔１３を設け、本考案が挙げる実施例においては、該段落孔１３が「Ｌ」字型を呈する場合、「Ｌ」字型一体に位置する第１段部１３０、及び「Ｌ」字型他端に位置する第２段部１３１を有する。
【００１２】
図３を併せて参照し、該パスワードロック機構２は、上記ロックシェル１内に軸回転可能に設けられ、丸棒２０と、制御部材２１と、複数のパスワードリングと、を含む。そのうち、丸棒２０一端は、弧状の係止部２００を設け、他端は、制御部材２１及び複数のパスワードリング等の部材に被せ入れさせ、且つ制御部材２１上にダイヤルピン２１０を設け、前記ダイヤルピン２１０は、上記パネル１１の段階孔１３上に凸設され、各パスワードリングは、それぞれパネル１１の各窓口１１０に相対し、局部が窓口１１０外に突出し、人の手にダイヤルさせることができる。本考案が挙げる実施例において、各パスワードリングは、何れも内軸カバー２２、外軸カバー２３、及び弾性部材２４を含んで構成され、各内軸カバー２２上に平面部２２０と、平面部２２０及び内軸カバー２２一側上に形成する凸縁２２１と、凸縁２２１内側軸から延伸する少なくとも１つの定位キー２２２と、を有し、且つ各外環カバー２３は、各内軸カバー２２上に軸回転可能に被せられ、各弾性部材２４は、相互に隣り合うパスワードリングの内軸カバー２２及び外環カバー２３の間に係止する。各外環カバー２３外は、複数の表示面２３０を区分し、各表示面２３０上には、数字又はアルファベット符号から構成される選択コードを有し、パスワードリングをダイヤルする時、各表示面２３０を窓口１１０より相対する選択コードを表示する。各外環カバー２３内縁一側は、複数の凹溝２３１を設け、該凹溝２３１の数量は、該表示面２３０の数量と一致させ、且つ該内軸カバー２２の定位キー２２２は、外環カバー２３の各凹溝２３１と選択的に係合することができ、各パスワードリング上の選択コードを変換し、パスワードとすることができる。
【００１３】
また、各外環カバー２３の一側上に複数の定位凹部２３２を環状に設け、該定位凹部２３２の数量も該表示面２３０の数量と一致し、各パスワードは、何れも定位部材１４に対応し、前記定位部材１４は、ロックシェル１のシェルソケット１０内に取り付けられる基部１４０、及び延伸する少なくとも１つの弾性アーム１４１を有し、且つ各弾性アーム１４１末端は、何れか１つの定位凹部２３２上に係止する。パスワードリングがダイヤルされる時、弾性アーム１４１末端は、該パスワードリングの各定位凹部２３２上に跳び動き、パスワードリングをダイヤル時に各表示面２３０の定位効果を発生する。
【００１４】
該キーロック機構３は、ロック芯３０と、該ロック芯３０上に被せ固定されるロック芯カバー３００を含み、且つ該ロック芯３０前端にキー孔３００を有し、上記面板１１のレバー１２の挿入孔１２０に対応し、該ロック芯３０後端は、ロック軸３０１を有する。対応する該キーロック機構３のキー（図示せず）がキー孔３００に挿入された後、ロック芯３０を回転することにより該ロック軸３０１を制御し、ロック解除又は閉鎖の動作を達成する。また、該ロック芯カバー３１は、上記パネル１１のレバー１２と組み合わせ、レバー１２にその回転を連動させることができ、且つ該ロック芯カバー３１周縁上には、環溝３１０を設け、前記環溝３１０は、上記パスワードロック機構２の丸棒２０の係止部と対応し、且つ前記環溝３１０内に閉鎖溝３１１を凹陥し、前記閉鎖溝３１１は、該係止部と組み合わさる（図４及び図５参照）。パスワードロック機構２の各パスワードリングが正確なパスワードにダイヤルされる時（即ち、ロック解除状態にある）、各パスワードリングの内軸カバー２２の平面部２２０は、一致する方向に向き（本考案は、前方を例とする）、丸棒２０に各パスワードリングを同時に移動させ、係止部２００に閉鎖溝３１１と脱離させ、レバー２３を回転し、ロック芯カバー３１を連動し、該ロック軸３０１を制御し、ロック解除又は閉鎖の動作を達成する。
【００１５】
このように、上記の構造が構成され、本考案の二重ロック構造改良を得ることができる。
【００１６】
これに基づき、図６に示すように、使用者がパスワードを新たに設けようとする時、先ず、各パスワードリングを正確なパスワードに入力し、レバー１２をロック解除状態に回転させる必要がある。続いて、図７に示すように、ダイヤルピン２１０を段階孔１３の第１段部１３０から第２段部１３１にダイヤルする。この時、図８に示すように、各パスワードリングが正確なパスワードにある状況（即ち、ロック解除状態にある）において、丸棒２０の係止部２００は、ロック芯カバーの閉鎖溝３１１から脱離でき、且つ前記ダイヤルピン２１０を段階孔１３の第１段部１３０から第２段部１３１にダイヤルする動作は、丸棒２０に各パスワードリングを移動させ、各パスワードリングの内軸カバー２２の定位キー２２２及び外環カバー２３の各凹溝２３１に係合関係を脱離させ、各パスワードリングの内軸カバー２２の定位キー２２２が外環カバー２３の何れか１つの凹溝２３１を新たに選択し、係合を行うことができ、即ち、使用者は、各パスワードリングの外環カバー２３をダイヤルすることで、パスワードを新たに設定することができる（図９参照）。
【００１７】
最後に、使用者が新たなパスワードの設定を完成した後、ただダイヤルピン２１０を段階孔１３の第２段部１３１から第１端部１３０にダイヤルするだけで、各パスワードリングの内軸カバー２２の定位キー２２２を新たな対応する各凹溝２３１と係合させることができ、レバー１２を閉鎖状態に逆向きに回転させ（図１０参照）、各パスワードリングをダイヤルし、ロックする。
【００１８】
上記のように、本考案は、比類ない考案製品であり、それは、確実に予期する使用目的を達成することができ、従来の欠陥を解決し、また、新規性及び進歩性を具える。
【００１９】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２０】
＜本考案＞
１  ロックシェル
１０  シェルソケット
１００  固定構造
１１  パネル
１１０  窓口
１２  レバー
１２０  挿入孔
１２１  握り柄
１３  段階孔
１３０  第１段部
１３１  第２段部
１４  定位部材
１４０  基部
１４１  弾性アーム
２  パスワードロック機構
２０  丸棒
２００  係止部
２１  制御部材
２１０  ダイヤルピン
２２  内軸カバー
２２０  平面部
２２１  凸縁
２２２  定位キー
２３  外環カバー
２３０  表示面
２３１  凹溝
２３２  定位凹部
２４  弾性部材
３  キーロック機構
３０  ロック芯
３００  キー孔
３０１  ロック軸
３１  ロック芯カバー
３１０  環溝
３１１  閉鎖溝
【図１】
0003170520.tif 000003
【図２】
0003170520.tif 000004
【図３】
0003170520.tif 000005
【図４】
0003170520.tif 000006
【図５】
0003170520.tif 000007
【図６】
0003170520.tif 000008
【図７】
0003170520.tif 000009
【図８】
0003170520.tif 000010
【図９】
0003170520.tif 000011
【図１０】
0003170520.tif 000012
【手続補正書】
【提出日】平成23年7月14日(2011.7.14)
【手続補正１】
【補正対象書類名】実用新案登録請求の範囲
【補正対象項目名】全文
【補正方法】変更
【補正の内容】
【実用新案登録請求の範囲】
【請求項１】
上部に複数の窓口と、段階孔と、を設け、レバーを軸回転可能に設け、且つ該段階孔が第１段部及び第２段部を有するロックシェルと、
該ロックシェル内に軸回転可能に設けられ、丸棒と、制御部材と、各該窓口に対応する複数のパスワードリングと、を含み、該丸棒の一端は、係止部を設け、該制御部材及び該パスワードリングが該丸棒上に被せ設けられ、該制御部材上にダイヤルピンを設け、前記ダイヤルピンが該段階孔上に凸設されるパスワードロック機構と、
ロック芯と、該ロック芯上に被せ固定されるロック芯カバーと、を含み、該ロック芯カバーは、該レバーと組み合わさり、且つ該ロック芯カバー周縁上に環溝を設け、前記環溝が該係止部と対応し、前記環溝内に閉鎖溝を凹み、前記閉鎖溝は、該係止部と組み合わさるキーロック機構と、
を含み、そのうち、該パスワード機構がロック解除状態にある時、該係止部は、該閉鎖溝から離脱でき、且つ前記ダイヤルピンを該段階孔の第１段部からその第２段部までダイヤルさせ、該丸棒に各該パスワードリングを移動させ、パスワードを設定可能な状態にする二重ロック。
【請求項２】
前記ロックシェルは、シェルソケット及びパネルを含み、該窓口、該段階孔及び該レバーは、前記パネル上に設けられる請求項１に記載の二重ロック。
【請求項３】
前記シェルソケット内には、固定構造を設け、該パスワードロック機構は、該固定構造上に軸回転可能に設けられる請求項２に記載の二重ロック。
【請求項４】
前記レバーは、握り柄を軸回転可能に設け、前記握り柄を介し該レバーに対し回転を行う請求項１に記載の二重ロック。
【請求項５】
前記段階孔は、「Ｌ」字型を呈し、且つ該第１段部は、前記「Ｌ」字型の一端に位置し、該第２段部は、前記「Ｌ」字型の他端に位置する請求項１に記載の二重ロック。
【請求項６】
前記パスワードロック機構の各該パスワードリングは、内軸カバーと、外環カバーと、弾性部材と、を含み、該外環カバーは、該内軸カバー上に軸回転可能に被せられ、該弾性部材が隣り合う前記パスワードリングの内軸カバー及び外環カバーの間に係止する請求項１に記載の二重ロック。
【請求項７】
前記外環カバーは、複数の表示面に区分され、且つ各該表示面上には選択コードを表示する請求項６に記載の二重ロック。
【請求項８】
前記内軸カバー上に平面部及び軸向きに延伸する少なくとも１つの定位キーを有し、該外環カバー内縁一側には、複数の凹溝を設け、該凹溝の数量は、該表示面の数量と一致し、且つ該内軸カバーの定位キーは、該外環カバーの各該凹溝と係合することができる請求項７に記載の二重ロック。
【請求項９】
前記内軸カバーは、該平面部及び該内軸カバー一側上に形成される凸縁を更に有し、且つ前記定位キーは、該凸縁内側から前記軸向きに延伸する請求項８に記載の二重ロック。
【請求項１０】
前記外環カバー一側上には、何れも複数の定位凹部を設け、各該パスワードリングは、何れも定位部材に対応し、前記定位部材は、延伸する少なくとも１つの弾性アームを有し、且つ該弾性アーム末端は、何れか１つの前記定位凹部上に係止する請求項６乃至請求項９の何れか１項に記載の二重ロック。